(57)【要約】【課題】  原稿シートの表裏両頁の画像読み取りが正常にできなかったときにも、表裏両頁が揃った画像データを記憶することができる画像読取装置を提供する。【解決手段】  複合機１０の制御部１５は、原稿シートの表裏両頁の画像読み取り中に、シート裏頁の読み取りを正常に終了できない読取エラーが発生したか否か判断する。制御部１５は、読取エラーの発生時に、シート裏頁の画像データと、読み取りが正常に終了したシート表頁の画像データとを画像メモリ１８から共に消去する。そして、改めて表裏両頁を正常に読み取った原稿シートについて、その表裏両頁の画像データを記憶する。【選択図】      図１
2005295219.tif 000002
【特許請求の範囲】
【請求項１】
原稿シートの表裏両頁の画像を読み取るための読取手段と、
読み取られたシート表裏両頁の各画像データを各頁ごとに記憶する記憶手段と
を備えた画像読取装置において、
シート裏頁に対する読取エラーを検出する読取エラー検出手段と、
その読取エラー検出手段による検出結果に基づいて前記記憶手段に記憶された当該シート裏頁及びその表頁の画像データを共に破棄する破棄手段と
を備えたことを特徴とする画像読取装置。
【請求項２】
原稿シートの表裏両頁の画像を読み取るための読取手段と、
読み取られたシート表裏両頁の各画像データを、各頁ごとに外部の記憶部に送信する送信手段と
を備えた画像読取装置において、
シート裏頁に対する送信エラーを検出する送信エラー検出手段と、
その送信エラー検出手段による検出結果に基づいて前記外部の記憶部に記憶された当該シート裏頁及びその表頁の画像データを共に破棄する破棄手段と
を備えたことを特徴とする画像読取装置。
【請求項３】
原稿シートの表裏両頁の画像を読み取るための読取手段と、
読み取られたシート表裏両頁の各画像データを各頁ごとに記憶する記憶手段と、
前記記憶手段に記憶されたシート表裏両頁の画像データを、各頁ごとに外部の記憶部に送信する送信手段と
を備えた画像読取装置において、
シート裏頁に対する読取エラーを検出する読取エラー検出手段と、
その読取エラー検出手段による検出結果に基づいて前記記憶手段に記憶された当該シート裏頁及びその表頁の画像データを共に破棄する第１破棄手段と、
シート裏頁に対する送信エラーを検出する送信エラー検出手段と、
その送信エラー検出手段による検出結果に基づいて前記外部の記憶部に記憶された当該シート裏頁及びその表頁の画像データを共に破棄する第２破棄手段と
を備えたことを特徴とする画像読取装置。
【請求項４】
前記記憶手段が記憶する原稿シートのシート表裏両頁の各画像データを第１のネットワークを介して送信する第１通信手段と、
前記記憶部に記憶された原稿シートのシート表裏両頁の各画像データを第２のネットワークを介して送信する第２通信手段と、
前記送信エラー検出手段による検出結果に基づいて前記記憶手段に記憶された当該シート裏頁及びその表頁の画像データを共に破棄する第３破棄手段と
を備えたことを特徴とする請求項３に記載の画像読取装置。
【請求項５】
原稿シートの表裏両頁の画像を読み取るための読取手段と、
読み取られたシート表裏両頁の各画像データを各頁ごとに記憶する記憶手段と
を備えた画像読取装置において、
シート裏頁に対する読取エラーを検出する読取エラー検出手段と、
その読取エラー検出手段による検出結果に基づいて前記記憶手段に記憶された当該シート裏頁の画像データを破棄する裏頁破棄手段と、
前記読取手段によって新たに読み取られた原稿シートのシート裏頁の画像データを、前記シート裏頁の画像データとして前記記憶手段に記憶させる記憶制御手段と、
前記新たに読み取られた原稿シートのシート表頁の画像データを破棄する表頁破棄手段と
を備えたことを特徴とする画像読取装置。
【請求項６】
原稿シートの表裏両頁の画像を読み取るための読取手段と、
読み取られたシート表裏両頁の各画像データを各頁ごとに、外部の記憶部に送信する送信手段と
を備えた画像読取装置において、
シート裏頁に対する送信エラーを検出する送信エラー検出手段と、
その送信エラー検出手段による検出結果に基づいて前記記憶部に記憶された当該シート裏頁の画像データを破棄する裏頁破棄手段と、
前記読取手段によって新たに読み取られた原稿シートのシート裏頁の画像データを、前記シート裏頁の画像データとして前記記憶部に記憶させる記憶制御手段と、
前記新たに読み取られた原稿シートのシート表頁の画像データを破棄する表頁破棄手段と
を備えたことを特徴とする画像読取装置。
【発明の詳細な説明】
【技術分野】
【０００１】
本発明は、原稿シートにおける表裏両頁の画像読取りを行う画像読取装置に関するものである。
【背景技術】
【０００２】
原稿シートの表裏両頁を読み取る装置としては、例えば、特許文献１に開示されたファクシミリ装置がある。この装置では、原稿シートの表裏両頁の画像を読み取った後、まずシート表頁の画像データを送信先に伝送し、次にシート裏頁の画像データを送信先に伝送する。そして、シート裏頁の画像データの送信先に対する伝送中に通信エラーが発生すると、ファクシミリ装置の制御回路が、このシート裏頁に対応するシート表頁の画像データを送信先に再送信し、次に改めてシート裏頁の画像データを送信先に伝送する。
【特許文献１】特開２０００−１５６７７１号公報
【発明の開示】
【発明が解決しようとする課題】
【０００３】
従って、上記装置では、シート裏頁の画像データの伝送中に通信エラーが発生すると、そのシート裏頁に対応するシート表頁の画像データが２度送信されることになる。つまり、通信エラーが発生すると、シート表頁の画像データのみの画像データと、表裏両頁の画像データが揃った画像データとが送信先に送信される。このため、シート表頁が２度送信されることとなり、無駄なだけでなく、送信先で無用な混乱を招くことになる。
【０００４】
本発明の第１の目的は、原稿シートの表裏両頁の画像読み取りが正常にできなかったときにも、表裏両頁が揃った画像データを記憶することができる画像読取装置を提供することにある。
【０００５】
また、本発明の第２の目的は、原稿シートの表裏両頁の画像データの送信が正常にできなかったときにも、表裏両頁が揃った画像データを外部の記憶部に記憶することができる画像読取装置を提供することにある。
【課題を解決するための手段】
【０００６】
上記目的を達成するため、請求項１に記載の発明は、原稿シートの表裏両頁の画像を読み取るための読取手段と、読み取られたシート表裏両頁の各画像データを各頁ごとに記憶する記憶手段とを備えた画像読取装置において、シート裏頁に対する読取エラーを検出する読取エラー検出手段と、その読取エラー検出手段による検出結果に基づいて前記記憶手段に記憶された当該シート裏頁及びその表頁の画像データを共に破棄する破棄手段とを備えたことを特徴とする。
【０００７】
請求項２に記載の発明は、原稿シートの表裏両頁の画像を読み取るための読取手段と、  読み取られたシート表裏両頁の各画像データを、各頁ごとに外部の記憶部に送信する送信手段とを備えた画像読取装置において、シート裏頁に対する送信エラーを検出する送信エラー検出手段と、その送信エラー検出手段による検出結果に基づいて前記外部の記憶部に記憶された当該シート裏頁及びその表頁の画像データを共に破棄する破棄手段とを備えたことを特徴とする。
【０００８】
請求項３に記載の発明は、原稿シートの表裏両頁の画像を読み取るための読取手段と、読み取られたシート表裏両頁の各画像データを各頁ごとに記憶する記憶手段と、前記記憶手段に記憶されたシート表裏両頁の画像データを、各頁ごとに外部の記憶部に送信する送信手段とを備えた画像読取装置において、シート裏頁に対する読取エラーを検出する読取エラー検出手段と、その読取エラー検出手段による検出結果に基づいて前記記憶手段に記憶された当該シート裏頁及びその表頁の画像データを共に破棄する第１破棄手段と、シート裏頁に対する送信エラーを検出する送信エラー検出手段と、その送信エラー検出手段による検出結果に基づいて前記外部の記憶部に記憶された当該シート裏頁及びその表頁の画像データを共に破棄する第２破棄手段とを備えたことを特徴とする。
【０００９】
請求項４に記載の発明は、請求項３に記載の発明において、前記記憶手段が記憶する原稿シートのシート表裏両頁の各画像データを第１のネットワークを介して送信する第１通信手段と、前記記憶部に記憶された原稿シートのシート表裏両頁の各画像データを第２のネットワークを介して送信する第２通信手段と、前記送信エラー検出手段による検出結果に基づいて前記記憶手段に記憶された当該シート裏頁及びその表頁の画像データを共に破棄する第３破棄手段とを備えたことを特徴とする。
【００１０】
請求項５に記載の発明は、原稿シートの表裏両頁の画像を読み取るための読取手段と、読み取られたシート表裏両頁の各画像データを各頁ごとに記憶する記憶手段とを備えた画像読取装置において、シート裏頁に対する読取エラーを検出する読取エラー検出手段と、その読取エラー検出手段による検出結果に基づいて前記記憶手段に記憶された当該シート裏頁の画像データを破棄する裏頁破棄手段と、前記読取手段によって新たに読み取られた原稿シートのシート裏頁の画像データを、前記シート裏頁の画像データとして前記記憶手段に記憶させる記憶制御手段と、前記新たに読み取られた原稿シートのシート表頁の画像データを破棄する表頁破棄手段とを備えたことを特徴とする。
【００１１】
請求項６に記載の発明は、原稿シートの表裏両頁の画像を読み取るための読取手段と、読み取られたシート表裏両頁の各画像データを各頁ごとに、外部の記憶部に送信する送信手段とを備えた画像読取装置において、シート裏頁に対する送信エラーを検出する送信エラー検出手段と、その送信エラー検出手段による検出結果に基づいて前記記憶部に記憶された当該シート裏頁の画像データを破棄する裏頁破棄手段と、前記読取手段によって新たに読み取られた原稿シートのシート裏頁の画像データを、前記シート裏頁の画像データとして前記記憶部に記憶させる記憶制御手段と、前記新たに読み取られた原稿シートのシート表頁の画像データを破棄する表頁破棄手段とを備えたことを特徴とする。
【発明の効果】
【００１２】
請求項１に記載の発明によれば、原稿シートの表裏両頁の画像読み取り時に、シート裏頁の画像読み取りを正常に終了できなかったときには、シート裏頁の画像データに加え、正常に読み取ったシート表頁の画像データを破棄する。そして、同じ原稿シートを再度読み取ったときに、シート表頁の画像データが二重に記憶されないようにする。このため、原稿シートの表裏両頁の画像読み取りが正常にできなかったときにも、表裏両頁が揃った画像データを記憶することができる。
【００１３】
請求項２に記載の発明によれば、請求項１と同様に、原稿シートの表裏両頁の画像データの送信が正常にできなかったときにも、表裏両頁が揃った画像データを外部の記憶部に記憶することができる。
【００１４】
請求項３に記載の発明によれば、請求項１及び請求項２に記載の発明の作用・効果が得られる。
請求項４に記載の発明によれば、原稿シートの表裏両頁から読み取った画像データを、第１通信手段により第１のネットワークを介して送信し、第２通信手段により第２のネットワークを介して送信するときに、第１通信手段が送信する原稿シートのシート原稿と、第２通信手段が送信する原稿シートのシート原稿とを合致させることができる。
【００１５】
請求項５に記載の発明によれば、原稿シートの表裏両頁の画像読み取り時に、シート裏頁の画像読み取りを正常に終了できなかったときには、シート裏頁の画像データを破棄し、正常に読み取ったシート表頁の画像データを記憶する。そして、同じ原稿シートを再度読み取ったときに、このシート裏頁の画像データを、前記シート表頁の画像データと組み合わせて同じ原稿シートの表裏両頁の画像データとする。このため、原稿シートの表裏両頁の画像読み取りが正常にできなかったときにも、表裏両頁が揃った画像データを記憶することができる。
【００１６】
請求項６に記載の発明によれば、請求項５と同様に、原稿シートの表裏両頁の画像データの送信が正常にできなかったときにも、表裏両頁が揃った画像データを外部の記憶部に記憶することができる。
【発明を実施するための最良の形態】
【００１７】
以下、この発明に係る画像読取装置を、プリンタ機能、コピー機能、ファクシミリ機能及びスキャナ機能を備えた複合機に具体化した一実施形態を、図１〜図５に従って説明する。
【００１８】
図１に示すように、画像読取装置としての複合機１０には、オプションボード１１によりＬＡＮを介して外部端末１２が接続されている。
複合機１０は、ＭＰＵ１３及びＲＯＭ１４を有する制御部１５、ＲＡＭ１６、読取部１７、記憶手段としての画像メモリ１８、コーデック１９、記録部２０、表示部２１、操作部２２、モデム２３及びＮＣＵ（Network Control Unit）２４から構成されている。各部１５〜２４は、バス２５を介して接続されている。本実施形態では、制御部１５が破棄手段、送信手段、送信エラー検出手段、第１破棄手段及び第２破棄手段を構成する。また、制御部１５及び読取部１７が読取手段を構成し、制御部１５及び画像メモリ１８が記憶手段を構成する。また、制御部１５及びＮＣＵ２４が第１通信手段を構成し、オプションボード１１が第２通信手段である。
【００１９】
ＭＰＵ１３は、複合機１０の各構成部分を制御する。ＲＯＭ１４は、複合機１０を制御するためのプログラムを記憶する。ＲＡＭ１６は、複合機１０に関する各種情報を一時的に記憶する。
【００２０】
読取部１７は、後述するようにスキャナや原稿自動供給装置等から構成され、原稿シートの表裏両頁の画像を共に読み取ってそのイメージ信号を出力する。画像メモリ１８は、読取部１７において読み取られた原稿シートの画像データや、ファクシミリ受信したデータをイメージデータとして一時的に記憶する。コーデック１９は、ファクシミリ送受信等のためにイメージデータの圧縮符号化及び複合を行う。記録部２０は電子写真方式のプリンタよりなり、読取部１７において読み取ったイメージデータやファクシミリ受信したイメージデータを記録紙上に記録する。
【００２１】
前記表示部２１は、液晶ディスプレイよりなり、複合機１０の動作状態を示す各種情報の表示を行う。操作部２２は、電話番号を入力するためのテンキー（＊，＃キーを含む）、短縮番号の登録、短縮番号から発信するための短縮キー、原稿シートの読み取り動作を開始させるためのスタートボタン２２ａ、「通信（ＦＡＸ）」動作又は「コピー」動作を設定するための通信／コピーキー等の各種操作キーを備えている。
【００２２】
前記モデム２３は、ファクシミリ伝送制御手順に基づいて送信データの変調及び受信データの復調を行う。ＮＣＵ２４は、公衆電話回線との接続を制御するとともに、相手先の電話番号に対応したダイヤル信号を送出する機能及び着信を検出するための機能を備えている。
【００２３】
前記オプションボード１１は、複合機１０をＬＡＮに接続するためのＬＡＮインターフェース・ボードであって、ＭＰＵ３０、ＲＯＭ３１、（外部の）記憶部としてのＲＡＭ３２、ＬＡＮインターフェース３３から構成されている。各部３０〜３３は、バス３４を介して複合機１０の各部に対し通信可能に接続されている。すなわち、オプションボード１１のＲＡＭ３４は、複合機１０の画像メモリ１８に対しバス３４，２５を介して接続されている。
【００２４】
ＭＰＵ３０は、ＲＯＭ３１に記憶されているプログラムに従い、オプションボード１１の各部の制御や、複合機１０と外部端末１２との通信処理を行う。ＲＡＭ３２は、オプションボード１１における動作の実行に伴って取得される各種データを一時的に記憶する。また、ＲＡＭ３２は、後述するように複合機１０のコーデック１９で圧縮符号化された後、オプションボード１１に送信される画像データを一時的に記憶する。
【００２５】
前記外部端末１２は、オプションボード１１のＲＡＭ３２に記憶されている原稿シートの画像データをＬＡＮを介して取得する。この画像データは、外部端末１２のメモリ１２ａに記憶される。
【００２６】
複合機１０の読取部の機械的な構成について詳述する。
図２に示すように、複合機１０の上部には、原稿給送部４１、静止原稿載置部４２及び原稿読取機構部４３が装設されている。原稿給送部４１は、複数枚の原稿シートを連続的に搬送して、その表裏両面の画像を読み取る場合に、それらの原稿シートを搬送するための搬送経路Ｔを構成する。静止原稿載置部４２は、原稿シート上から静止画像を読み取る場合に、その原稿シートを載置する。また、図２には図示しないが、複合機１０の下部には、周知の記録紙供給部、前記記録部２０及び記録紙排出部がそれぞれ装設されている。
【００２７】
前記原稿給送部４１には、読み取り前の複数枚の原稿シートを積層状態で載置するための原稿台４４と、読み取り後の原稿シートを積層状態で載置するための原稿排出台４５とが装備されている。そして、この原稿台４４の原稿送込口から、原稿排出台４５の原稿排出口までの間が、前記複数枚の原稿シートを連続的に搬送するための搬送経路Ｔとなっている。
【００２８】
前記原稿台４４の原稿送込口の近傍には、原稿台４４に載置された複数枚の原稿シートの前端と当接するように、開閉可能なシャッタ４６が配設されている。シャッタ４６の上流側には、原稿台４４上の複数枚の原稿シートを、その一番上の原稿シートから順に搬送経路Ｔ側に送り出すためのピックアップローラ４７が配設されている。シャッタ４６の下流側には、ピックアップローラ４７によりシャッタ４６を通過して送り出された原稿シートを、１枚ずつ分離して搬送経路Ｔ内に送り込むための分離ローラ４８及び分離パッド４８ａが配設されている。
【００２９】
前記原稿給送部４１の分離ローラ４８の下流側には、レジストローラ４９、第１給送ローラ５０、第２給送ローラ５１、表面読取用ローラ５２、第３給送ローラ５３、裏面読取用ローラ５４、及び第４給送ローラ５５が搬送経路Ｔに沿って原稿シートの搬送順に配設されている。これらのローラ４９〜５５のうちで、レジストローラ４９、第１給送ローラ５０、第２給送ローラ５１、第３給送ローラ５３及び第４給送ローラ５５には、アイドルローラ４９ａ，５０ａ，５１ａ，５３ａ，５５ａがそれぞれ接触配置されている。前記ピックアップローラ４７から第４給送ローラ５５までの各ローラ４７〜５５は、図３に示す１つのステッピングモータ５６に作動連結されて回転駆動されるようになっている。
【００３０】
図２に示すように、前記裏面読取用ローラ５４と対応する位置には、密着型イメージセンサ５９が配設されている。また、ピックアップローラ４７とシャッタ４６との間には、シャッタ４６に当接された原稿シートの有無を検知する原稿有無検知センサＤＳ１が設けられている。分離ローラ４８とレジストローラ４９との間において分離ローラ４８寄りの位置には、搬送中の原稿シートの端部を検知する第１原稿端検知センサＤＳＳが設けられている。さらに、レジストローラ４９の近傍には、レジストローラ４９に原稿シートの前端が当接したことを検知するためのレジストセンサＤＲＳが設けられている。第１給送ローラ５０と第２給送ローラ５１との間において第２給送ローラ５１寄りの位置には、搬送中の原稿シートの端部を検知する第２原稿端検知センサＤＳ２が設けられている。第３給送ローラ５３と裏面読取用ローラ５４との間には、搬送中の原稿シートの端部を検知する第３原稿端検知センサＤＳ３が設けられている。
【００３１】
図２に示すように、前記静止原稿載置部４２には、上面に原稿シートを載置するための透明な原稿載置板６０と、その原稿載置板６０上に開閉回動可能に配設された押え蓋６１とが装備されている。そして、前記原稿給送部４１の原稿台４４及び原稿排出台４５は、この静止原稿載置部４２の押え蓋６１上に配設されている。原稿載置板６０の下方には、押え蓋６１が原稿載置板６０上に閉じられた状態であるか否かを検知するための蓋開閉センサ５８が設けられている。本実施形態では、制御部１５、蓋開閉センサ５８、第１原稿端検知センサＤＳＳ、第２原稿端検知センサＤＳ２及び第３原稿端検知センサＤＳ３が読取エラー検出手段を構成する。
【００３２】
前記原稿読取機構部４３には、透光板６２、ランプ６３、第１ミラー６４、第２ミラー６５、第３ミラー６６、集光レンズ６７及び撮像素子６８が装備されている。透光板６２は、原稿給送部４１の表面読取用ローラ５２に対抗配置されている。ランプ６３は、透光板６２上を通過する原稿シート、または原稿載置板６０上に載置された原稿シートに光を照射する。第１〜第３ミラー６４〜６６は、原稿シートからの反射光の光路を変更する。集光レンズ６７は、第３ミラー６６からの光を撮像素子６８上に収束させる。撮像素子６８は、集光レンズ６７を通して入射した光に基づいて原稿シートの画像を読み取るとともに、その読み取った原稿シートの画像信号を出力する。
【００３３】
前記ランプ６３及び第１ミラー６４は、副走査方向に移動可能な第１キャリッジ６９上に支持されている。また、第２及び第３ミラー６５，６６は、同じく副走査方向に移動可能な第２キャリッジ７０上に支持されている。そして、図示しない周知の移動機構によって、第１キャリッジ６９が第２キャリッジ７０の２倍の移動速度で移動されるようになっている。
【００３４】
これにより、前記原稿給送部４１による複数の原稿シートの連続搬送時には、第１及び第２キャリッジ６９，７０が、その移動範囲のほぼ中央に設定された待機位置Ｐ１から、透光板６２の真下に対向位置する読取位置Ｐ２に移動配置される。また、静止原稿載置部４２に載置された原稿シートの画像読み取り時には、両キャリッジ６９，７０が、原稿載置板６０の原稿給送部４１側端部の真下に対向位置する位置Ｐ３と、原稿載置板６０の反対側端部の真下に対向位置する位置Ｐ４との間で移動される。
【００３５】
そして、前記のような構成の原稿給送部４１及び原稿読取機構部４３により原稿自動読取装置（ＡＤＦ）が構成され、第１及び第２キャリッジ６９，７０が読取位置Ｐ２に配置された状態で、透光板６２上を通過する原稿シート上の画像の読み取りを行う。また、静止原稿載置部４２及び原稿読取機構部４３によりフラットベッドスキャナ（ＦＢＳ）が構成され、両キャリッジ６９，７０が位置Ｐ３から位置Ｐ４まで移動される間で、原稿載置板６０上に載置された原稿シート上の画像の読み取りを行う。
【００３６】
図３に示すように、前記各センサＤＳ１，ＤＳＳ，ＤＲＳ，ＤＳ２，ＤＳ３、蓋開閉センサ５８は、前記制御部１５の入力側に電気的に接続されている。前記ステッピングモータ５６、ランプ５９ａ，６３は、制御部１５の出力側に電気的に接続されている。
【００３７】
次に、前記のように構成された複合機１０の動作を説明する。
さて、この複合機１０をネットワークスキャナとして利用するために、読取部１７の原稿自動読取装置で読み取った画像データをオプションボード１１に送信する場合には、ＭＰＵ１３の制御に基づいて、図５のフローチャートに示す処理が実行される。この処理は、ＭＰＵ１３の制御のもとにＲＯＭ１４内のプログラムが実行されることで進行する。
【００３８】
まず、ステップ（以下、Ｓと略記する。）１００において、原稿有無検知センサＤＳ１の検出結果に基づき、ＭＰＵ１３は、原稿台４４上に未読の原稿シートがあるか否かを検出する。
【００３９】
次のＳ１０１において、ＭＰＵ１３は、読取部１７の原稿自動読取装置を制御して、原稿台４４上から１枚の原稿シートを搬送経路Ｔに沿って搬送させる。そして、搬送中の原稿シートにおける表頁の画像を撮像素子６８で読み取ってその画像データを画像メモリ１８に記憶させるとともに、その原稿シートの裏頁の画像を密着型イメージセンサ５９で読み取ってその画像データを画像メモリ１８に記憶させる。原稿シートの表頁の画像データと、シート裏頁の画像データとは、原稿シート及び表裏頁ごとに区分して画像メモリ１８に記憶される。このとき、汎用サイズ（例えばＡ４）の原稿シートであれば、その表頁の画像の撮像素子６８による読み取り途中に、その裏頁の画像の密着型イメージセンサ５９による読み取りが開始される。これは、搬送経路Ｔにおける撮像素子６８と密着型イメージセンサ５９との距離によって決定される。
【００４０】
次のＳ１０２において、ＭＰＵ１３は、前記原稿シートの搬送経路Ｔにおける搬送位置に基づき、表裏両頁の画像の読み取りが終了したか否かを判断する。搬送経路Ｔにおける原稿シートの搬送位置は、各原稿端検知センサＤＳＳ，ＤＳ２，ＤＳ３により原稿シートの先端及び後端が検知されたときの原稿シートの搬送経路Ｔにおける各位置と、この各位置から原稿シートが搬送されるときのステッピングモータ５６の駆動ステップ数とに基づいて把握される。そして、原稿シートの表頁の読み取り終了は、原稿シートの後端が撮像素子６８を外れたことで認識される。また、原稿シートの裏頁の読み取り終了は、原稿シートの後端が密着型イメージセンサ５９を外れたことで認識される。
【００４１】
Ｓ１０２でＹＥＳのときには、ＭＰＵ１３は、Ｓ１０３において、画像メモリ１８に記憶した原稿シートの表裏両頁の各画像データを、オプションボード１１のＲＡＭ３２にそれぞれ送信する。このとき、ＭＰＵ１３は、まず、原稿シートの表頁の画像データを送信し、表頁の画像データの送信が終了すると、次に、同原稿シートの裏頁の画像データを送信する。そして、ＭＰＵ１３は、オプションボード１１のＭＰＵ３０に、原稿シートの表裏両頁の画像データを頁ごとにＲＡＭ３２に記憶させる。
【００４２】
次にＳ１０４において、ＭＰＵ１３は、画像メモリ１８に記憶していた原稿シートの表裏両頁の画像データを、オプションボード１１のＲＡＭ３２に全て送信できたか否かを判断する。Ｓ１０４でＹＥＳであったときには、ＭＰＵ１３は、Ｓ１００に戻って、以上の処理を繰り返す。
【００４３】
全ての原稿シートについてその表裏両頁の画像データをオプションボード１１のＲＡＭ３２に送信すると、ＭＰＵ１３は本処理を終了する。ＲＡＭ３２に記憶された原稿シートの表裏両頁の画像データは、ＬＡＮに接続された外部端末１２に取り込まれた後、外部端末１２の表示部に表示され、又は、別のプリンタで印刷出力される。
【００４４】
一方、前記Ｓ１０２でＮＯであったときには、ＭＰＵ１３は、次のＳ１０５において、原稿シートの表裏両頁の画像読み取りを正常に終了できない読取エラーが発生したか否かを判断する。この読取エラーが発生したか否かの判断の１つとして、ＭＰＵ１３は、蓋開閉センサ５８の検出結果に基づき、押え蓋６１が閉じられているか否かを判断する。また別の判断として、ＭＰＵ１３は、画像メモリ１８のメモリ容量の残り容量を監視し、画像データを蓄積中の画像メモリ１８にメモリオーバが発生する状況か否かを判断する。さらに別の判断として、ＭＰＵ１３は、各原稿端検知センサＤＳＳ，ＤＳ２，ＤＳ３による原稿シートの前端及び後端の検出タイミングと、ステッピングモータ５６の駆動ステップ数とに基づき、原稿シートが正常に搬送されていない状態、すなわち、紙詰まり（ジャム）が発生したか否かを判断する。そして、ＭＰＵ１３は、押え蓋６１が開けられたか、画像メモリ１８にメモリオーバが発生するか、原稿シートの紙詰まりが発生するかしたときには、原稿シートの画像読取エラーが発生したと判断する。
【００４５】
Ｓ１０５でＹＥＳのとき、ＭＰＵ１３は、Ｓ１０６において、そのとき画像読取中の原稿シートから読み取って画像メモリ１８に蓄積している画像データを消去する。詳述すると、このとき、ＭＰＵ１３は、読取エラーの発生時点が原稿シートの表頁の画像読取中であり、かつ、同原稿シートの裏頁の画像読取前であったときには、それまでに読み取って画像メモリ１８に蓄積した同原稿シートの表頁の画像データを消去する。また、ＭＰＵ１３は、読取エラーの発生時点が同原稿シートの表頁及び裏頁の同時読取中であったときには、それまでに同原稿シートの表裏両頁から読み取って画像メモリ１８に蓄積した同表裏両頁の画像データを消去する。さらに、ＭＰＵ１３は、読取エラーの発生時点が、同原稿シートの表頁の画像読み取りが正常に終了し、かつ、同原稿シートの裏頁の画像読取中であったときには、それまでに同原稿シートの裏頁から読み取って画像メモリ１８に蓄積した画像データに加え、すでに読み取り終わって画像メモリ１８に蓄積した同原稿シートの表頁の画像データも消去する。より具体的に説明すると、図４（ａ）に示すように、例えば、３枚目の原稿シートの裏頁を読み取っているときに読取エラーが発生すると、その３枚目の原稿シートにおいて正常に読み取ることができなかった裏頁の画像データだけでなく、同原稿シートの表頁の画像データも消去する。また、ＭＰＵ１３は、Ｓ１０６において、読取エラーが発生したことをユーザに知らせるための表示を表示部２１で行う。
【００４６】
次に、ＭＰＵ１３は、Ｓ１０７において、前記読取エラーが解消したか否かを判断する。そして、読取エラーが解消したときには、ＭＰＵ１３は、Ｓ１０８において表示部２１を制御して、読取エラーが発生した原稿シートを改めて原稿台４４にセットするとともにスタートボタン２２ａを押すことをユーザに促すようにした表示を行う。
【００４７】
ＭＰＵ１３は、次のＳ１０９において、再読み取りのためにスタートボタン２２ａが押されたか否かを判定する。Ｓ１０９でＹＥＳであったときには、ＭＰＵ１３は、Ｓ１００に戻って処理を繰り返す。従って、図４（ａ）に示す場合、改めて３枚目の原稿シートについて表裏両頁の画像が正常に読み取られると、このとき読み取られたシート表裏両頁の各画像データが、３枚目の原稿シートの表裏頁画像データとして画像メモリ１８に蓄積される。
【００４８】
また、前記Ｓ１０４でＮＯであったときには、ＭＰＵ１３は、次のＳ１１０において、複合機１０の画像メモリ１８から、オプションボード１１のＲＡＭ３２にシート表裏両頁の画像データを正常に送信できない送信エラーが発生したか否かを判断する。この送信エラーの発生は、例えば、オプションボード１１のＭＰＵ３０が画像データのパリティチェックを行った結果に基づいて判断される。
【００４９】
Ｓ１１０でＹＥＳのときには、ＭＰＵ１３は、Ｓ１１１において、画像メモリ１８からオプションボード１１への画像データの送信を中止するとともに、オプションボード１１のＭＰＵ３０に指令して、すでにオプションボード１１のＲＡＭ３２に送信した画像データを消去させる。詳述すると、このとき、ＭＰＵ１３は、送信エラーの発生時点が、シート表頁の画像データの送信中であったときには、それまでに画像メモリ１８から送信してＲＡＭ３２に記憶させた同原稿シートの表頁の画像データを消去させる。また、ＭＰＵ１３は、送信エラーの発生時点が、シート裏頁の画像データの送信中であったときには、それまでに画像メモリ１８からＲＡＭ３２に送信して記憶させた同原稿シートの裏頁の画像データに加え、すでに画像メモリ１８から送信し終わってＲＡＭ３２に記憶させた同原稿シートの表頁の画像データも消去させる。
【００５０】
Ｓ１１１の実行後、ＭＰＵ１３は前記Ｓ１０８を実行する。
以上のように、この実施形態では、原稿シートの表裏両頁の各画像から読み取った画像データを画像メモリ１８に蓄積しているときに、シート裏頁の画像読み取りが正常に終了しなかったときには、正常に記憶されなかったシート裏頁の画像データに加え、正常に記憶されたシート表頁の画像データも消去されるようになっている。そして、原稿シートの表裏両頁を共に正常に読み取ったときにのみ、表裏両頁の画像データが画像メモリ１８に記憶されるようになっている。従って、原稿シートの表裏両頁の画像読み取りが正常にできなかったときにも、表裏両頁が揃った画像データを画像メモリ１８に記憶することができる。
【００５１】
また、本実施形態では、画像メモリ１８に蓄積した原稿シートの表裏両頁の画像データを、複合機１０からオプションボード１１に送信しているときに、シート裏頁の画像データ送信が正常に終了しなかったときには、正常に送信されなかったシート裏頁の画像データに加え、正常に送信されたシート表頁の画像データも消去されるようになっている。そして、この原稿シートの表裏両頁の画像データを共に正常に送信したときにのみ、表裏両頁の画像データがオプションボード１１に記憶されるようになっている。従って、原稿シートの表裏両頁の画像データの送信が正常にできなかったときにも、表裏両頁が揃った画像データをオプションボード１１のＲＡＭ３２に記憶することができる。このため、ＬＡＮで複合機１０に接続された外部端末１２により、複合機１０を用いたネットワークスキャンを行ったときに、複合機１０からその外部端末１２に、シート表頁のみの画像データが送信されることがない。すなわち、複合機１０から原稿シートの画像データを取得した外部端末１２において、同原稿シートの画像データを別のプリンタで印刷出力したときに、表頁のみの印刷がなされることがなく、表裏両頁が揃った印刷がなされる。また、外部端末１２において、取得した複数枚の原稿シートの画像データを、外部端末１２の表示部に表示させたときに、表頁のみの表示がなされることがなく、表裏両頁が揃った表示がなされる。
【００５２】
本発明は、前記実施形態に限定されるものではなく、以下のように具体化してもよい。
・  本発明を、ファクシミリで原稿シートの画像データを送信するときに、複合機１０で読み取った原稿シートの表裏両頁の画像データを複合機１０の画像メモリ１８に蓄積する場合に実施してもよい。また、コピーにおいて原稿シートの表裏両頁の画像データを蓄積する場合に実施してもよい。
【００５３】
・  本発明を次のように実施してもよい。すなわち、画像メモリ１８に蓄積した原稿シートの表裏両頁の画像データをＮＣＵ２４により公衆電話回線（第１のネットワーク）を介して送信するとともに、画像メモリ１８からオプションボード１１のＲＡＭ３２に送信した前記画像データをＬＡＮ（第２のネットワーク）を介して送信する場合に実施してもよい。この場合、原稿シートの表裏両頁の画像読み取り中にシート裏頁の読取エラーが発生したときには、制御部１５（第１破棄手段）により、そのシート裏頁の画像データとそのシート表頁の画像データとが画像メモリ１８から破棄される。また、画像メモリ１８からオプションボード１１への画像データの送信中にシート裏頁の送信エラーが発生したときには、制御部１５（第２破棄手段）により、そのシート裏頁の画像データとそのシート表頁の画像データとがＲＡＭ３２から破棄される。同時に、前記送信エラーの発生時には、制御部１５（第３破棄手段）により、送信エラーとなった原稿シートの表裏両頁の画像データが画像メモリ１８からも破棄される。このため、画像メモリ１８からオプションボード１１にシート裏頁の画像データを送信しているときに送信エラーが発生しても、その原稿シートの表裏両頁の画像データがオプションボード１１のＲＡＭ３２からは破棄され、画像メモリ１８には記憶されたままとなることはない。従って、このような構成によれば、ファックス通信とメール通信とにより同じ原稿シートの表裏画像データを送信する混在同報送信を行う場合において、ファックス通信で送った原稿シートとメール通信で送った原稿シートとを合致させることができる。そして、送信エラーが発生した原稿シートの表裏両頁を再度読み取らせたときに、ファックス通信において同一の原稿シートの表裏両頁の画像データが２度送信されることがないようにできる。
【００５４】
・  本発明を次のように具体化してもよい。すなわち、シート裏頁の画像読み取りが正常に終了しなかったときに、裏頁破棄手段、記憶制御手段及び表頁破棄手段としての制御部１５が、このシート裏頁の画像データのみを破棄し、読み込みが正常に終了したシート表頁の画像データをそのまま画像メモリ１８（又はＲＡＭ３２（外部の記憶部））に記憶する。そして、改めて同原稿シートの表裏両頁を正常に読み取ったときに、前記制御部１５が、このシート表頁の画像データを破棄するとともに、このシート裏頁の画像データを同原稿シートの裏頁の画像データとして画像メモリ１８（又はＲＡＭ３２）に記憶する構成としてもよい。具体的に説明すると、図４（ｂ）に示すように、３枚目の原稿シートの表裏両頁の読み取り時に、シート裏頁の読み取りを正常に終了できなかったとき、シート表頁の画像データを３枚目の原稿シートの表頁画像データとして記憶し、シート裏頁の画像データのみを破棄する。そして、３枚目の原稿シートを改めて読み取ったときに、シート表頁の画像データを破棄し、シート裏頁の画像データを３枚目の原稿シートの裏頁画像データとして記憶する。
【図面の簡単な説明】
【００５５】
【図１】一実施形態の複合機を示すブロック図。
【図２】複合機の読取部を示す縦断面図。
【図３】電気的構成を示すブロック図。
【図４】（ａ）は一実施形態における表裏各頁の画像データの記憶処理を示す説明図、（ｂ）は他の実施形態における表裏各頁の画像データの記憶処理を示す説明図。
【図５】原稿シートの読み取り動作及び画像データの処理動作を示すフローチャート。
【符号の説明】
【００５６】
１０…画像読取装置としての複合機、１１…第２通信手段としてのオプションボード、１５…読取手段、記憶手段、読取エラー検出手段、第１通信手段を構成する、破棄手段、送信手段、送信エラー検出手段、第１破棄手段、第２破棄手段、第３破棄手段、裏頁破棄手段、記憶制御手段及び表頁破棄手段としての制御部、１７…読取手段を構成する読取部、１８…記憶手段としての画像メモリ、２４…第１通信手段を構成するＮＣＵ、３２…（外部の）記憶部としてのＲＡＭ、５８…読取エラー検出手段を構成する蓋開閉センサ、ＤＳ２…同じく第２原稿端検知センサ、ＤＳ３…同じく第３原稿端検知センサ、ＤＳＳ…同じく第１原稿端検知センサ。
【図１】
2005295219.tif 000003
【図２】
2005295219.tif 000004
【図３】
2005295219.tif 000005
【図４】
2005295219.tif 000006
【図５】
2005295219.tif 000007